(57)【要約】      （修正有）【課題】一般的な印刷機構を用いて、紙を積み重ねた結果できる側面に情報が擬似的に印刷されているように見えるよう用紙の表面/裏面に対して情報を印刷する。【解決手段】用紙の厚さ及び枚数から、前記複数毎の用紙を平積みした場合にできる用紙の側面の幅を計算する計算手段と、側面に表示させるための印刷情報を取得する取得手段と、前記計算手段により計算された側面の幅、及び前記取得手段により取得された印刷情報とから、側面画素イメージを作成する作成手段と、前記作成手段により作成された側面画素イメージを、前記複数毎の用紙を平積みした場合にできる用紙の側面に視認可能な情報として表示させるべく、前記用紙それぞれの側面にあたる縁部分に印刷を行う印刷手段とによって実現する。【選択図】図１
2009163311.tif 000002
【特許請求の範囲】
【請求項１】
複数毎の用紙を平積みした場合にできる用紙の側面に視認可能な情報を表示させるための印刷をする情報処理装置であって、
用紙の厚さ及び枚数から、前記複数毎の用紙を平積みした場合にできる用紙の側面の幅を計算する計算手段と、
側面に表示させるための印刷情報を取得する取得手段と、
前記計算手段により計算された側面の幅、及び前記取得手段により取得された印刷情報とから、側面画素イメージを作成する作成手段と、
前記作成手段により作成された側面画素イメージを、前記複数毎の用紙を平積みした場合にできる用紙の側面に視認可能な情報として表示させるべく、前記用紙それぞれの側面にあたる縁部分に印刷を行う印刷手段と、
を有することを特徴とする情報処理装置。
【請求項２】
前記印刷手段は、前記用紙への通常の印刷と共に、前記用紙それぞれの側面にあたる縁部分に印刷を行うことを特徴とする請求項１に記載の情報処理装置。
【請求項３】
前記側面にあたる縁部分とは、印刷した用紙を裁断する場合においては、裁断される部分を縁部分とすることを特徴とする請求項１又は２に記載の情報処理装置。
【請求項４】
複数毎の用紙を平積みした場合にできる用紙の側面に視認可能な情報を表示させるための印刷をする情報処理装置における制御方法であって、
用紙の厚さ及び枚数から、前記複数毎の用紙を平積みした場合にできる用紙の側面の幅を計算する計算ステップと、
側面に表示させるための印刷情報を取得する取得ステップと、
前記計算ステップにより計算された側面の幅、及び前記取得手段により取得された印刷情報とから、側面画素イメージを作成する作成ステップと、
前記作成ステップにより作成された側面画素イメージを、前記複数毎の用紙を平積みした場合にできる用紙の側面に視認可能な情報として表示させるべく、前記用紙それぞれの側面にあたる縁部分に印刷を行う印刷ステップと、
を有することを特徴とする制御方法。
【請求項５】
複数毎の用紙を平積みした場合にできる用紙の側面に視認可能な情報を表示させるための印刷をする情報処理装置において実行可能なプログラムであって、
用紙の厚さ及び枚数から、前記複数毎の用紙を平積みした場合にできる用紙の側面の幅を計算する計算手段と、
側面に表示させるための印刷情報を取得する取得手段と、
前記計算手段により計算された側面の幅、及び前記取得手段により取得された印刷情報とから、側面画素イメージを作成する作成手段と、
前記作成手段により作成された側面画素イメージを、前記複数毎の用紙を平積みした場合にできる用紙の側面に視認可能な情報として表示させるべく、前記用紙それぞれの側面にあたる縁部分に印刷を行う印刷手段として前記情報処理装置を機能させることを特徴とするプログラム。
【請求項６】
請求項５に記載のプログラムを記録したコンピュータ読み取り可能な記録媒体。
【発明の詳細な説明】
【技術分野】
【０００１】
本発明は、印刷用紙の側面に情報を表示させるための印刷を印刷用紙にする情報処理装置、および制御方法およびプログラムおよび記録媒体に関するものである。
【背景技術】
【０００２】
従来の印刷では、印刷用紙の表面もしくは裏面への印刷が前提となっているが、印刷物を立体と考えると、これまでの印刷対象であった紙面（表／裏）のみならず側面に対しても面が存在するため、この側面への印刷が考えられる。
【０００３】
通常の印刷は紙に対して用紙の表面や裏面に対し２次元的に情報を記録するものであるが、実際の印刷は複数枚印刷する場合が多く、これは印刷物を立体と考えたとき、表や裏以外にもう４側面に対して印刷が印刷対象と考えられる。
【０００４】
例えば、複数枚数印刷し、それをまとめた場合、側面となる部分に何らかの情報を表現することによりその資料の所存を明確にすることが可能になる。
【０００５】
このとき利用者からは、通常紙面と同じ感覚で側面に対する印刷が行えると汎用性が高まる。
【０００６】
しかしながら、側面印刷を行う場合は、特許文献１に記載のような専用の印刷機構を用いる必要があるが、通常の印刷機や複写機に対して別途専用の印刷機構を追加するのは、構造・金額・保守等何らかの負担を強いるものになるため、一般的な印刷機構を用いて側面部分に印刷を行える方法が求められる。
【０００７】
現在、用紙の表や裏の面に対してできるかぎり多くの面積で印刷をするため、紙の縁ぎりぎりに印刷する「縁なし印刷」という方法がある。
【０００８】
特許文献２には、縁なし印刷を応用した技術が開示されており、その内容は、用紙の端部に印刷されたページマーク、部マーク、表裏マークを利用者がチェックするだけで、束（部）の仕分け、ページ順、紙の表裏方向の統一性等を容易にチェックし、整えることを容易にすることと、ふちなし印刷する際には、ふちなし印刷画像の仕上がりの美しさと、整列の容易性を同時に実現することが記載されている。
【特許文献１】特開２００４−１３６４５９号公報
【特許文献２】特開２００４−２０２８５２号公報
【発明の開示】
【発明が解決しようとする課題】
【０００９】
しかしながら、特許文献２に記載の技術は、紙を積み重ねた結果できる側面を積極的に活用するものではない。
【００１０】
本発明は、上記課題を解決するものであり、一般的な印刷機構を用いて、紙を積み重ねた結果できる側面に情報が擬似的に印刷されているように見えるよう用紙の表面/裏面に対して情報を印刷すること（以下「側面印刷」という。）を目的とする。
【課題を解決するための手段】
【００１１】
本発明の情報処理装置は、複数毎の用紙を平積みした場合にできる用紙の側面に視認可能な情報を表示させるための印刷をする情報処理装置であって、用紙の厚さ及び枚数から、前記複数毎の用紙を平積みした場合にできる用紙の側面の幅を計算する計算手段と、側面に表示させるための印刷情報を取得する取得手段と、前記計算手段により計算された側面の幅、及び前記取得手段により取得された印刷情報とから、側面画素イメージを作成する作成手段と、前記作成手段により作成された側面画素イメージを、前記複数毎の用紙を平積みした場合にできる用紙の側面に視認可能な情報として表示させるべく、前記用紙それぞれの側面にあたる縁部分に印刷を行う印刷手段とを有する。
【００１２】
本発明の制御方法は、複数毎の用紙を平積みした場合にできる用紙の側面に視認可能な情報を表示させるための印刷をする情報処理装置における制御方法であって、用紙の厚さ及び枚数から、前記複数毎の用紙を平積みした場合にできる用紙の側面の幅を計算する計算ステップと、側面に表示させるための印刷情報を取得する取得ステップと、前記計算ステップにより計算された側面の幅、及び前記取得手段により取得された印刷情報とから、側面画素イメージを作成する作成ステップと、前記作成ステップにより作成された側面画素イメージを、前記複数毎の用紙を平積みした場合にできる用紙の側面に視認可能な情報として表示させるべく、前記用紙それぞれの側面にあたる縁部分に印刷を行う印刷ステップとを有する。
【発明の効果】
【００１３】
本発明によれば、一般的な印刷機構を用いて、紙を積み重ねた結果できる側面に情報が擬似的に印刷されているように見えるよう用紙の表面/裏面に対して情報を印刷することが可能となる。
【発明を実施するための最良の形態】
【００１４】
次に本発明を実施するための最良の形態について図面を参照して説明する。
【００１５】
＜システム構成の説明＞
〔第１実施形態〕
以下、添付図面を参照して、本発明を実施するための最良の形態について詳細に説明する。
【００１６】
図１は、通常の印刷の場合の例と、本発明による方法により印刷した場合の例とを示した図である。１０１が通常の印刷の場合であり、１０５が側面印刷した場合である。
【００１７】
図１において、１０２は印刷用紙を示し、１０３は紙面における印刷内容を示す。現状の機構では側面印刷を行えないので、用紙の側面である１０４には何も表示されない。
【００１８】
１０６は印刷用紙を示し、１０７は紙面における印刷内容を示す。本発明による側面印刷は縁なし印刷の技術を用いて用紙の側面部分にあたる１０８にマークを行うものである。このとき１０９のように側面に印刷すべき情報を適切に展開し、該当する位置にマークをする（印刷をする）ことにより、用紙を積み重ねた結果１１０のようにあたかも側面に印刷されているように側面印刷を行うことを可能とする。
【００１９】
なお、縁なし印刷で側面にあたる部分に印刷を行ってはいるが、あくまでも紙面に対しての印刷でありコントラストが低くなるという問題があるが、これは浸透インク/浸透トナーや発泡インクや発泡トナーを用いることで解決できる。具体例を図２に示す。
【００２０】
図２は、浸透インク/浸透トナー、発泡インク/発泡トナーの概念を示した図である。
【００２１】
図２において、２０１は、印刷用紙を示し、２０２は、印刷直後の浸透インク/浸透トナーを示す。その後インク/トナーは印刷用紙に浸透し、２０３の状態になる。
【００２２】
同様に、２０４は、印刷直後の発泡インク/発泡トナーを示す。その後インク/トナーに対して発泡処理（加熱等の適切な処理）を行い、２０５の状態になる。
【００２３】
これらの対応を行うことで側面部分のコントラストの低下をある程度防ぐことが可能となる。
【００２４】
なお、本発明は、縁なし印刷の技術を用いなくとも、側面印刷を実現することが可能である。即ち、用紙を裁断する場合である。図３〜５に具体例を示す。
【００２５】
図３は、「裁断なし」の場合を示す図である。
【００２６】
図３において、３０１は、裁断を行わない通常の印刷時の用紙を示す。３０２は、用紙に対する通常の印刷エリアを示す。３０３は、印刷情報を示す。３０４は、通常紙面の場合のマーク位置であり、この場合縁なし印刷を行うので用紙の縁にマークが印刷されている。
【００２７】
図４は、「裁断あり」の場合を示す図である。
【００２８】
図４において、３０５は、裁断を行う場合の印刷用紙を示す。３０６は、用紙に対する通常の印刷エリアであり、３０８はその印刷情報である。用紙が裁断される場合は、裁断位置が示されるがこれが３０９を示す。
【００２９】
側面印刷を行うためには、側面にあたる部分の印刷を行う必要があり、これを３１０で示している。当然のことながら、裁断される場所に印刷を行う必要があるため用紙の縁ではなく３０９が指す裁断位置にマークを印刷する必要がある。
【００３０】
図５は、一裁断を行った場合の概略図である。
【００３１】
図５において、４０１は、裁断後の側面にあたる位置にマークが印刷された用紙である。４０２は、裁断後の側面にあたる部分である。４０３は、側面部分のマークである。４０４は、裁断位置を示す。４０５は、裁断を行って側面にあたる部分が表面に現れたものである。
【００３２】
なお、図では単純に太線で表しているが、実際には文字や図形等が現れる。
【００３３】
上記説明のようにすることで、縁なし印刷の技術をもいることなく、側面印刷を実現することが可能となる。
【００３４】
次に、本発明を実施するための、システム構成「印刷要求装置（情報処理装置）、印刷装置（プリンタ）」について説明する。
【００３５】
図６は、印刷要求装置５０１側で本発明を実現する場合を示すものであり、図７は、印刷装置６１０側で本発明を実現する場合を示すものである。
【００３６】
ここで、印刷を要求する側を「印刷要求装置」とし、印刷を行う側を「印刷装置」とする。なお、複写機や特定の業務に特化したシステムは、何らかの画像入力装置や他システムとの連携装置をもっているが、ここではすでに印刷すべき情報はアプリケーションが管理している前提とし、他装置の記載は不図示とする。
【００３７】
５０１は、印刷要求装置を示す。
【００３８】
５０４は、印刷を依頼するアプリケーションであり、その上位に５０２のユーザインタフェースが存在している。また、アプリケーションの下には５０５のデバイスドライバがあり５０９のオペレーティングシステムを経由し印刷装置と接続されている。本発明を実現するためには、従来のデバイスドライバ（プリンタドライバ）５０６に、側面印刷拡張５０７部分の拡張を行う。
【００３９】
６０１は、印刷要求装置を示す。５０４は、印刷を依頼するアプリケーションであり、その上位に５０２のユーザインタフェースが存在している。また、アプリケーションの下には５０５のデバイスドライバがあり５０９のオペレーティングシステムを経由し印刷装置と接続されている。本発明を実現するためには、従来の印刷制御プログラム６１３に、側面印刷拡張６１４部分の拡張を行う。
【００４０】
印刷要求装置および印刷装置はユーザインタフェースをもっているので、機能拡張にともない情報をユーザインタフェースから設定することも考えられる。
【００４１】
図８は、デバイスドライバを機能拡張した場合における、印刷要求装置の表示装置上に表示される背表紙印刷設定の入力画面（「背表紙名入力」画面）を示す図である。
【００４２】
図９は、印刷制御プログラムを機能拡張した場合における、印刷装置の表示装置上に表示される入力画面の入力欄に「セビョウシメイ：」との文字が入力された例を示す図である。
【００４３】
図１０は、側面印刷実現時の側面の扱いを示す図である。このとき印刷用紙は、紙面を上にして平積みのようすを表現している。
【００４４】
複数枚の印刷をおこなった場合、７０１で示すＡの高さを持ち、また、７０２で示す印刷用紙の横幅Ｂを持つことになる。
【００４５】
ここで、Ａを用紙の縦幅、Ｂを用紙の横幅と考える。もしくはＡを用紙の横幅、Ｂを用紙の縦幅と考えてもよい。これらをそれぞれＡ'、Ｂ'とする。
【００４６】
上記において、Ａ'ＸＢ'は二次元をあらわすので、これを印刷用紙と仮想的に取り扱い、通常の紙面同様に印刷を行う。
【００４７】
図１１は、フォントＲＯＭ等に保存された７ドットＸ７ドットのフォント例を示す図である。
【００４８】
現在のフォントは多様化しているが、側面印刷の原理を簡単に説明するため、ドットマトリックスで構成されたフォント例を用いることとする。
【００４９】
８０１は、無印刷部分のピクセルを示し、８０２は、印刷部分のピクセルを示す。
【００５０】
図１２は、上記フォントを側面印刷に割り当てた場合の例を示す図である。
【００５１】
なお、実際の側面印刷においては、印刷用紙一枚の厚さや文字の大きさでフォントのドットの大きさは異なるが、本説明では便宜上フォント１ドットが用紙１枚の厚さに該当する前提で記載する。同様に横方向のドットの大きさも印刷機構により異なるが、本説明では用紙１枚の厚さと同じ大きさとして記載する。
【００５２】
９０１は、印刷用紙の厚さを示す。便宜上１ドットの大きさは用紙１枚と同じ厚さとする。９０２は、横方向のドットの最小単位である。９０３は、無印刷部分を示し、９０４は印刷された部分を示す。
【００５３】
図１１で構成されたドットマトリックスフォントを、各用紙の縁部分にそれぞれ印刷を行った場合、図１２で表されるＡという文字が構成されることになる。上記において１ドット単位の例で記載したが、この最小単位を１ドットではなく複数ドットで構成してもよいし、１ドット単位の印刷ルールをｎ倍にしても考え方は同じである。
【００５４】
上記方法は、既存印刷機の内部において一般的に使用される方法であり、側面印刷においても既存の手法で描画可能である。
【００５５】
図１３は、図形描画における座標系と直線例を示した図である。
【００５６】
１００１は、Ｙ方向の座標軸を示している。左上を原点としているため、Ｙ方向の増加分は下向きとなる。１００２は、Ｘ方向の座標軸を示している。左上を原点としているため、Ｘ方向の増加分は右向きとなる。１００３は、Ｙ＝Ｘの線分を示している。
【００５７】
図１４は、上記座標系を側面印刷に割り当てた場合の例を示す。なお、実際の側面印刷においては、印刷用紙一枚の厚さや文字の１座標の大きさは異なるが、本説明では便宜上１座標が用紙１枚の厚さに該当する前提で記載する。同様に横方向の座標大きさも印刷機構により異なるが、本説明では用紙１枚の厚さと同じ大きさとして記載する。
【００５８】
１１０１は、印刷用紙の厚さを示す。便宜上１ドットの大きさは用紙１枚と同じ厚さとする。１１０２は、横方向の座標の最小単位である。１１０３は無印刷部分を示し、１１０４は印刷された部分を示す。
【００５９】
図１３で構成される図形を各用紙の縁部分にそれぞれ印刷を行った場合、図１４ような線分が用紙の側面部分に記載される。
【００６０】
上記において１ピクセル単位の例で記載したが、この最小単位を１ピクセルではなく複数ピクセルで構成してもよいし、１ピクセル単位の印刷ルールをｎ倍にしても考え方は同じである。
【００６１】
上記方法は、既存印刷機の内部において一般的に使用される方法であり、側面印刷においても既存の手法で描画可能である。
【００６２】
図１５は、本発明の実施の手順を示すフローチャートである。
【００６３】
上述したとおり、本発明は、印刷要求装置又は印刷装置のいずれにおいても実現可能であるが、便宜上、印刷要求装置のデバイスドライバ５０６において実施するものとして以下説明する。
【００６４】
基本的な流れは、紙面に対する印刷情報をすべて読み込み側面の高さを求める。これと同じく用紙の縦幅や横幅もとめる。この作業により４側面を４枚の用紙と考えることができる。次に各側面（４枚の用紙と想定したもの）に対して、印刷する情報を取得する。これは画像/文字/記号などが考えられる。その後１枚あたりの用紙の側面に印刷する画素を求めるため、高さにあたる部分のピクセル情報を用紙の枚数で割ることにより１枚あたりの画素が求められる。以下、各処理の説明を記載する。
【００６５】
Ｓ１０１において、デバイスドライバ５０６は、印刷名に印刷するためのテキスト情報、図形等の情報の取得を行う。
【００６６】
Ｓ１０２において、デバイスドライバ５０６は、紙面印刷イメージの保存を行う（Ｓ１１０）。この時点では用紙の高さ（最後まで印刷したときの仕上がり厚）が不明であるため、一旦印刷紙面に出力すべき情報をすべて保存する。保存する形式は、特に規定しないが、以下の処理を考慮すると紙面印刷イメージの形式が望ましい。
【００６７】
Ｓ１０３において、デバイスドライバ５０６は、側面部分の印刷情報を取得する。この情報は、任意のものが可能であるが、データ形式印刷装置が扱えるものである必要がある。
【００６８】
Ｓ１０４において、デバイスドライバ５０６は、印刷対象の用紙１枚の厚さを求める。
【００６９】
Ｓ１０５において、デバイスドライバ５０６は、印刷枚数を求める。
【００７０】
Ｓ１０６において、デバイスドライバ５０６は、Ｓ１０４で求めた１枚の用紙厚さにＳ１０５で求めた印刷枚数をかけることにより、用紙の高さ（最後まで印刷したときの仕上がり厚）を求める。この時点で、４側面を４枚の印刷用紙と考えたときの縦横の大きさが求まる。
【００７１】
Ｓ１０７において、デバイスドライバ５０６は、側面印刷情報を所定のルールに従って展開する。この所定のルールについては図１６〜１８において後述する。展開された側面画素イメージ（Ｓ１１１）を、Ｓ１０２で求めた紙面印刷イメージ（Ｓ１１０）の側面部分にあたる場所に展開するための計算をする。
【００７２】
Ｓ１０８において、デバイスドライバ５０６は、通常複数枚印刷を行うための終了の判断を行う。即ち、すべて印刷したか否かによって判断する。
【００７３】
全て印刷した場合は、終了となり、全て印刷していない場合は、Ｓ１０９へ進む。
【００７４】
Ｓ１０９において、デバイスドライバ５０６は、実際の印刷部分であり、この時点で通常紙面の印刷を行うと同時に側面部分にあたる縁部分にマーク（情報）を印刷する。なお、裁断する場合は、裁断される箇所の縁部分にマークを印刷する。その後、Ｓ１０８へ進み、全て印刷するまで繰り返す。
【００７５】
図１６は、Ｓ１０７において文字を印刷する場合の詳細フローである。
【００７６】
Ｓ２０１において、デバイスドライバ５０６は、フォントジェネレータから印刷対象文字の画素情報を取得する。このときドットマトリックスフォントであればフォントＲＯＭから取得するし、アウトラインフォントであれば描画ルールを取得する。
【００７７】
Ｓ２０２において、デバイスドライバ５０６は、描画イメージを作成する。描画イメージは文字情報が指定された位置に指定さえた大きさでスケーリングされたピクセル画素イメージである。
【００７８】
Ｓ２０３において、デバイスドライバ５０６は、Ｓ２０２で展開されたピクセル画素イメージを、各用紙の側面に対してのマークに対応した形式変換する。
【００７９】
Ｓ２０４において、デバイスドライバ５０６は、印刷しやすいように印刷イメージとして情報を保存する（Ｓ１１１）。
【００８０】
図１７は、Ｓ１０７において画像情報を印刷する場合の詳細フローである。
【００８１】
Ｓ３０１において、デバイスドライバ５０６は、画像情報を、各用紙一枚単位の側面にあたる部分のマークに展開する。
【００８２】
Ｓ３０２において、デバイスドライバ５０６は、印刷しやすいように印刷イメージとして情報を保存する（Ｓ１１１）。
【００８３】
図１８は、図形情報を印刷する場合の詳細フローである。
【００８４】
Ｓ４０１において、デバイスドライバ５０６は、指定された図形を適切な座標系に展開し二次元イメージの描画情報として取得する。
【００８５】
Ｓ４０２において、デバイスドライバ５０６は、画像情報を、各用紙一枚単位の側面にあたる部分のマークに展開する。
【００８６】
Ｓ４０３において、デバイスドライバ５０６は、印刷しやすいように印刷イメージとして情報を保存する（Ｓ１１１）。
【００８７】
以上説明したように、本発明によれば、一般的な印刷機構を用いて、紙を積み重ねた結果できる側面に情報が擬似的に印刷されているように見えるよう用紙の表面/裏面に対して情報を印刷することが可能となる。
【００８８】
図１９〜図３２において、本発明を応用した様々な利用形態を説明する。
【００８９】
図１９は、印刷枚数によって縁マーク部分の幅を制御する場合を示す図である。即ち、印刷枚数が少なく、側面の領域が十分確保できないときは、縁マーク部分の幅を通常より広くする制御を行うことで、図２０に示すように、印刷物をずらすことで、視認可能な情報を側面印刷することが可能となる。
【００９０】
図２１は、背表紙を印刷した例である。通常紙面印刷と同時に側面印刷として背表紙タイトルを印刷することで、背表紙を効率よく作成できる。
【００９１】
図２２は、禁持ち出しマークを印刷した例である。側面印刷として１側面だけでなく、４側面に特定の文字や色等を印刷することで、印刷物の扱いを示すことが可能となる。禁持ち出しマークの例として、正規の状態と特定部分が抜き出された場合の例を記載する。
【００９２】
一部の印刷装置においては、用紙の仕上がり厚が適切にまとまらない場合も考えられる。例えば、図２３において、仕上がり厚が想定したよりも小さい場合と大きい場合の例を記載する。このような場合、背表紙としては必ずしも好ましくないが、例えば、図２４に示すように印刷する文字の大きさを変更して印刷する方法が考えられる。このように印刷することで背表紙としての最低限の機能は果たすことができる。
【００９３】
実際印刷においてジョブの概念があり、側面印刷を実装する場合にジョブの情報を取得できるのであれば、側面印刷において有効に活用することができる。例えば、図２５には、複数ジョブ印刷を行った場合のジョブ番号を割り当てた場合の例を示す。
【００９４】
回収前提のドキュメントなどは、背表紙にあわせ総部数と連番を割り当てることで回収もれを防ぐ運用も考えられる。
【００９５】
また、ドキュメントがあらかじめ複数で構成されることがわかっているのであれば、側面印刷の展開ルールを工夫することで有効な運用も考えられる。図２６には、複数ドキュメントを想定した場合の背表紙例を示す。
【００９６】
また、ドキュメント印刷時に特定のキーワードを検出して側面印刷を行った場合の例を記載する。
【００９７】
図２７は印刷時に章番号を自動検出し、それに対して側面部分に章番号を印刷した例を記載する。
【００９８】
また、側面印刷の例として記号の印刷も考えられる。図２８は、側面部分にバーコードを印刷した場合の例である。単独でバーコードを印刷してもメリットは少ないが、図２９に示すように、印刷物がベルトコンベア上にあり、バーコードセンサーによって生産管理や発送制御を行っている場合は、有効に活用できると考えられる。
【００９９】
側面印刷を複数の機器で運用を行った場合のメリットも考えられる。図３０はネットワーク上に複数のＰＣ（パーソナルコンピュータ）やＷＳ（ワークステーション）が接続された環境で、Ｔａｒｏユーザが月報と会議資料をＸ１プリンタに印刷すると同時に、Ｊｉｒｏユーザが議事録をＸ１プリンタに印刷している例である。
【０１００】
印刷対象の側面印刷情報としてドキュメント名、ユーザ名、出力機器名を指定した場合の例を図３１に示す。最初の「会議資料」がドキュメント名であり、「User:Taro」がユーザ名であり、「Pr:X1」が出力機器名である。このとき、ユーザ名や出力機器名の情報を側面印刷の機能として自動取得できれば効率より運用が考えられる。
【０１０１】
図３２にプリンタトレイ上に印刷物が出力された状態を示す。側面に各種情報が印刷されているので、利用者は自分のドキュメントを効率よく探すことができる。
【０１０２】
なお、上述した各種データの構成及びその内容はこれに限定されるものではなく、用途や目的に応じて、様々な構成や内容で構成されることは言うまでもない。
【０１０３】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【図面の簡単な説明】
【０１０４】
【図１】側面印刷イメージを示す図である。
【図２】浸透インク/浸透トナーおよび発泡インク/発泡トナーを示す図である。
【図３】側面印刷時のマーク位置を示す図である。
【図４】裁断を行う場合の側面印刷を示す図である。
【図５】裁断を行う場合の印刷イメージを示す図である。
【図６】側面印刷をデバイスドライバで実装する場合を示す図である。
【図７】側面印刷をプリンタで実装する場合を示す図である。
【図８】側面印刷をデバイスドライバで実装した場合のユーザインタフェースを示す図である。
【図９】側面印刷をプリンタで実装した場合のユーザインタフェースを示す図である。
【図１０】側面印刷時の擬似用紙面の考え方を示す図である。
【図１１】フォントＲＯＭイメージを示す図である。
【図１２】側面印刷時の文字印刷方法概念を示す図である。
【図１３】図形描画イメージを示す図である。
【図１４】側面印刷時の図形描画方法概念を示す図である。
【図１５】側面印刷処理手順を示すフローチャートである。
【図１６】文字印刷時の詳細手順を示すフローチャートである。
【図１７】画像印刷時の詳細手順を示すフローチャートである。
【図１８】図形印刷時の詳細手順を示すフローチャートである。
【図１９】印刷枚数によって縁マーク部分の幅を制御する場合を示す図である。
【図２０】側面印刷状態を示す図である。
【図２１】背表紙印刷例を示す図である。
【図２２】禁持ち出しマーク印刷例を示す図である。
【図２３】仕上がり厚不定時の側面印刷例を示す図である。
【図２４】用紙厚不定時の側面印刷例を示す図である。
【図２５】複数ジョブ印刷例を示す図である。
【図２６】複数ドキュメント印刷例を示す図である。
【図２７】キーワード検出側面印刷例を示す図である。
【図２８】バーコード印刷例を示す図である。
【図２９】バーコード印刷活用例を示す図である。
【図３０】複数マシン配置時環境例を示す図である。
【図３１】複数マシン配置時の側面印刷例を示す図である。
【図３２】複数マシン配置時のトレイ出力例を示す図である。
【符号の説明】
【０１０５】
５０１  印刷要求装置
５０２  ユーザインタフェース
５０４  アプリケーション
５０６  デバイスドライバ
５０７  側面印刷拡張１
５０９  オペレーティングシステム
５１１  印刷装置
５１２  ユーザインタフェース
５１４  印刷制御プログラム
６１４  側面印刷拡張２
【図１】
2009163311.tif 000003
【図２】
2009163311.tif 000004
【図３】
2009163311.tif 000005
【図４】
2009163311.tif 000006
【図５】
2009163311.tif 000007
【図６】
2009163311.tif 000008
【図７】
2009163311.tif 000009
【図８】
2009163311.tif 000010
【図９】
2009163311.tif 000011
【図１０】
2009163311.tif 000012
【図１１】
2009163311.tif 000013
【図１２】
2009163311.tif 000014
【図１３】
2009163311.tif 000015
【図１４】
2009163311.tif 000016
【図１５】
2009163311.tif 000017
【図１６】
2009163311.tif 000018
【図１７】
2009163311.tif 000019
【図１８】
2009163311.tif 000020
【図１９】
2009163311.tif 000021
【図２０】
2009163311.tif 000022
【図２１】
2009163311.tif 000023
【図２２】
2009163311.tif 000024
【図２３】
2009163311.tif 000025
【図２４】
2009163311.tif 000026
【図２５】
2009163311.tif 000027
【図２６】
2009163311.tif 000028
【図２７】
2009163311.tif 000029
【図２８】
2009163311.tif 000030
【図２９】
2009163311.tif 000031
【図３０】
2009163311.tif 000032
【図３１】
2009163311.tif 000033
【図３２】
2009163311.tif 000034